Podtech/llm-jp-corpus-v4-ja_patent huggingface dataset:
(57)【要約】【課題】  地盤改良装置による土壌と固化材との混合攪拌において、均一で精度の高い改良ができるようにする。【解決手段】  攪拌翼を装置の中心部より概ね左右対称とし、羽の角度も負荷を避けて攪拌に最適な角度の１５度方向として土壌と固化材との混合攪拌効率を高め、均質な地盤改良を可能とした。【選択図】  図１
0003115724.tif 000002
【実用新案登録請求の範囲】
【請求項１】
攪拌翼の取り付け位置を、中心部より概ね左右対称とし、軸に対し縦横ともに２枚以上の羽根が並ばないよう（負荷を避けるため）装着したことを特徴とする。
【請求項２】
攪拌翼は、負荷を避け攪拌混合効率を高めるため、取り付け角度を１５度としてセンターに向け装着し、均一で効率の良い改良ができる装置としたことを特徴とする。
【請求項３】
攪拌翼回転時の衝撃（横揺れ）を防止するため、地盤改良装置の下部両サイドにサイドカッターと称するズレ止め爪を装着したことを特徴とする。
【考案の詳細な説明】
【技術分野】
【０００１】  本考案は、地盤改良時の土壌掘削と固化材との混合攪拌に用いる装置に関するものである。
【背景技術】
【０００２】  地盤改良の目的で、土壌と生石灰やセメント系固化材を混合攪拌し、地盤改良する方法が従来から知られている。【０００３】  従来、地盤改良装置の攪拌翼は「らせん状」のものが多く使われていた。
【考案の開示】
【考案が解決しようとする課題】
【０００４】  従来の装置はロータリー部が「らせん状」で、攪拌土が一方向に動くため均一な混合は難しいとされ、同時に本体が横に振られることから、破損が多いという問題点があった。【０００５】  本考案は、従来の問題点を解決するもので、土壌と固化材との均一な混合攪拌を可能とした地盤改良装置を提供するものである。
【課題を解決するための手段】
【０００６】  上記目的を達成するため、この考案の装置のひとつは、土壌と固化材との混合において、偏らず均一に攪拌できる羽根の型を特徴とした。
また、攪拌翼の取り付け角度を１５度としてセンターに向けて装着し、土壌と固化材との混合効率の良い均一な改良が出来る装置とした特徴がある。
この考案の装置は、攪拌時の横揺れ等を防止するため、装置下部両サイドにズレ止め爪を装着したことを特徴とする。
【考案の効果】
【０００７】  従来の装置は、攪拌翼の型が「らせん状」のものが多く、そのことから攪拌土が一方向に動くため、固化材との均一な混合が容易でなく、加えて力が横方向に働く関係で本体が振られ、改良作業に支障をきたす状況にあった。
これらの問題解決のため考案した装置は、攪拌翼を装置の中心部より概ね左右対称とし、羽根の角度も１５度方向として固化材との均一な改良を容易にし、本体が横に振れることもなく均質で攪拌効率の良い地盤改良を可能とした。
【考案を実施するための最良の形態】
【０００８】  図１の地盤改良装置は、バックホーを母機として、そのアームの先端に装着するものであり、土壌の掘削と固化材との攪拌混合の為の油圧モーターによるチェーン駆動式装置である。【０００９】  図１，２に示すように、土壌と固化材との攪拌混合効率を高めるため、攪拌翼の取り付け位置を中心部より概ね左右対称とし、軸に対し縦横ともに２枚以上の羽根が並ばないよう設定している。【００１０】  図２に示すように、攪拌翼の取り付け角度を１５度としてセンターに向けて装着し、均一で効率の良い改良が出来るよう設定している。【００１１】  図１，３に示すサイドカッターは、攪拌翼回転時の衝撃（横揺れ）を防止するために装着したものである。
【図面の簡単な説明】
【００１２】
【図１】本考案装置の正面図である。
【図２】本考案攪拌翼の羽根取り付け位置を平面で示したものである。
【図３】本考案装置の側面図である。
【符号の説明】
【００１３】  １  油圧モーター
２  駆動輪
３  伝道チェーン
４  伝道輪
５  サイドカッター
６  羽根取付台
７  攪拌羽根
８  攪拌羽根取付位置（２４枚）
【図１】
0003115724.tif 000003
【図２】
0003115724.tif 000004
【図３】
0003115724.tif 000005
【手続補正書】
【提出日】平成17年8月26日(2005.8.26)
【手続補正１】
【補正対象書類名】実用新案登録請求の範囲
【補正対象項目名】全文
【補正方法】変更
【補正の内容】
【実用新案登録請求の範囲】
【請求項１】
軸に対する攪拌翼の取り付け位置を装置の中心部より概ね左右対称とし、軸に対し縦横ともに２枚以上の攪拌翼が並ばないよう装着したことを特徴とする地盤改良装置。
【請求項２】
攪拌翼は、負荷を避け攪拌混合効率を高めるため、軸に対する取り付け角度を１５度としてセンターに向け装着したことを特徴とする請求項１記載の地盤改良装置。
【請求項３】
攪拌翼回転時の横揺れを防止するため、地盤改良装置の下部両サイドにズレ止め爪を装着したことを特徴とする請求項１記載の地盤改良装置。
【手続補正２】
【補正対象書類名】明細書
【補正対象項目名】０００３
【補正方法】変更
【補正の内容】
【０００３】
従来、地盤改良装置の攪拌翼（攪拌羽根または羽根とも称する）は「らせん状」のものが多く使われていた。
【手続補正３】
【補正対象書類名】明細書
【補正対象項目名】０００６
【補正方法】変更
【補正の内容】
【０００６】
上記目的を達成するため、本考案の請求項１による地盤改良装置は、土壌と固化材との混合において、偏らず均一に攪拌できる攪拌翼の型を提供すべく、軸に対する攪拌翼の取り付け位置を装置の中心部より概ね左右対称とし、軸に対し縦横とも２枚以上の攪拌翼が並ばないよう装置したことを特徴とする。
また、本考案の請求項２による地盤改良装置は、土壌と固化材との混合効率の良い均一な改良が出来るよう、上記請求項１の地盤改良装置において、攪拌翼は、負荷を避け攪拌混合効率を高めるため、軸に対する取り付け角度を１５度としてセンターに向け装着したことを特徴とする。
また、本考案の請求項３による地盤改良装置は、上記請求項１の地盤改良装置において、攪拌翼回転時の横揺れを防止するため、地盤改良装置の下部両サイドにサイドカッターとも称するズレ止め爪を装着したことを特徴とする。
(57)【要約】      （修正有）【課題】本考案は、まな板を漂白する際に使い捨ての可能なシートを使う事で、重い道具を使用する事により生じていた作業的負担を軽減させる。【解決手段】本考案は、紙製等の使い捨て可能なシートに液体の漂白剤を吸収させ、そのシートをまな板表面に貼り付け、まな板を漂白する。【選択図】図２
0003115755.tif 000002
【実用新案登録請求の範囲】
【請求項１】
紙製等のシートに液体漂白剤を吸収させ、そのシートを表面に貼ることによってまな板を漂白するまな板漂白用使い捨てシート
【考案の詳細な説明】
【技術分野】
【０００１】  本考案は、液体漂白剤を吸収させたまな板漂白用の使い捨てシートに関するものである。
【背景技術】
【０００２】  まな板を漂白する際、従来はまな板をつけ置くための容器や袋を使っていた。
【考案の開示】
【考案が解決しようとする課題】
【０００３】  まな板をつけ置きするための容器を使用すると作業的負担が大きく、その容器を置くスペースが必要になる。また、容器や袋は使用後にそれらの道具を水洗いしなければならないため、手間がかかる。したがって、使い捨ての出来るシートを使用する事により、まな板を簡単に漂白する事が可能となり、前述の問題点を解決しようとするものである。
【課題を解決するための手段】
【０００４】  本考案は、紙製等の使い捨て可能なシートに液体の漂白剤を吸収させ、そのシートをまな板表面に貼り付け、まな板を漂白する事によって問題点を解決している。
【考案の効果】
【０００５】    前述のように、本考案のまな板漂白用使い捨てシートは重い道具を仕様しない為、まな板を漂白する際の作業的負担を軽減する事が出来る。【０００６】    本考案では、つけ置きのための水を必要としない為、まな板を漂白する際に使用する水の量を節約する事が出来る。
【考案を実施するための最良の形態】
【０００７】    まな板の表面とほぼ同じ大きさのシートをまな板の片面あるいは両面に貼り付け、シートに吸収させた漂白剤がまな板表面を漂白するまでそのままの状態でおく事で、まな板を漂白することが可能となる。
【図面の簡単な説明】
【０００８】
【図１】本考案のまな板漂白用使い捨てシートの実施している状態を示す正面図である。
【図２】本考案のまな板漂白用使い捨てシートの実施している状態を示す断面図である。
【符号の説明】
【０００９】１  まな板
２  まな板漂白用使い捨てシート
【図１】
0003115755.tif 000003
【図２】
0003115755.tif 000004
(57)【要約】      （修正有）【課題】遠赤外線、脱臭、湿度調整、保温、抗菌等の効果および作用を有し、かつ、使用時の快適感の向上したインナーウエアの提供。【解決手段】（イ）ガードル及びタイツの腹部並びに臀部、股間部の表地と裏地の間に、織布状又はフエルト状の炭素繊維を入れて縫製する。（ロ）ガードル及びタイツの股間部を袋状にして、ここに炭素繊維シートを装着する。（ハ）タイツの膝にあたる部分に、炭素繊維を縫着する。【選択図】図１
0003115751.tif 000002
【実用新案登録請求の範囲】
【請求項１】
織布状又はフェルト状の炭素繊維を、腹部及び股間部と臀部に使用したガードル及びタイツ。
【請求項２】
（イ）ガードル及びタイツの股間部を開口部のある袋状にする。
（ロ）股間部の袋状部分の形と寸法に適合した炭素繊維シートを、この開口部より挿入して装着する。
以上の如く構成された、炭素繊維を使用したガードル及びタイツ。
【請求項３】
膝にあたる部分に、炭素繊維を使用したタイツ。
【考案の詳細な説明】
【考案の開示】
【技術分野】
【０００１】  この考案は、炭素繊維を使用したインナーウエア（下着類）のうち、ガードル及びタイツに関するものである。
【背景技術】
【０００２】  従来のガードルは、主に体型並びに着衣の調整を目的としたものであり、着用時における健康面、衛生面に十分な配慮をなしたものはなく、タイツも同様であった。
【考案が解決しようとする課題】
【０００３】  本考案は、炭素繊維を使用することにより、炭素繊維の有する遠赤外線、脱臭、湿度調整、保温、抗菌等の効果及び作用により、健康及び衛生面における効果を付加するとともに、使用時の快適感を向上させる。
【課題を解決するための手段】
【０００４】    いま、その解決手段を図面をおいながら説明すれば、
（イ）図１の腹部（１）と、臀部（３）及び腹部（１）と臀部（３）をつなぐ股間部（２）の表地と裏地の間に、織布状又はフエルト状の炭素繊維を入れて縫製する。
（ロ）図２の股間部（２）を袋状にして、内側に開口部（４）を設ける。
図２の炭素繊維シート（５）は、織布状又はフエルト状の炭素繊維（７）を、股間部（２）の袋状部分に装着するに適合した形と寸法に裁断し、表裏に布地（６）を配して縫製する。
（ハ）請求項３におけるタイツについては、膝にあたる部分に、織布状又はフエルト状の炭素繊維（７）を縫着する。
【考案実施の形態】
【０００５】請求項２については、炭素繊維シート（５）を、股間部（２）の袋状部分の開口部（４）より挿入し装着して着用する。
【考案の効果】
【０００６】▲１▼炭素繊維の遠赤外線効果により、血流を良くして健康増進や疲労回復に効果がある。
▲２▼炭素繊維の有する脱臭作用により、体臭や汗臭を除去する。
▲３▼炭素繊維の有する抗菌効果により、細菌の発生等を予防し、衛生面の向上が図れる。
▲４▼炭素繊維の有する湿度調整作用により、着用時の快適さが向上する。
【図面の簡単な説明】
【０００７】
【図１】  （ａ）ガードルの概略図  （ｂ）タイツの概略図  （ｂ）胴体部の左右を分断した平面図
【図２】  炭素繊維シート
【符号の説明】
【０００８】  １  腹部
２  股間部
３  臀部
４  開口部
５  炭素繊維シート
６  布地
７  炭素繊維
【図１】
0003115751.tif 000003
【図２】
0003115751.tif 000004
(57)【要約】      （修正有）【課題】車椅子を使用して生活する人たちの中でも特に意思表示・意思決定が出来る人たちにとっては従来のような車椅子ではポケットが後ろについているため自分の持ち物が管理しにくいので自己管理できるようにしたい。【解決手段】車椅子のアームレスト内側に袋状の収納ポケットを取り付ける事により利用者の意思で持ち物を管理でき安心感を与える事が出来る。特に外出時には盗難防止に役立つ。【選択図】図１
0003115753.tif 000002
【実用新案登録請求の範囲】
【請求項１】
車椅子の両アームレストに取り付けるために面ファスナーを有した収納ポケット
【考案の詳細な説明】
【技術分野】
【０００１】車椅子の両アームレストに袋状のポケットをぶら下げるように取り付けた福祉分野の考案
【背景技術】
【０００２】従来の車椅子には背中の部分にポケットが付いている。介護する側にとっては使いやすいが介護される側にとっては利便性が悪く使用されていないことが多い。
【考案の開示】
【考案が解決しようとする課題】
【０００３】車椅子を使用して生活する人たちの中で意志決定が出来る自立した人、また外科的治療中の人などの場合、所持品は出来るだけ第三者に頼らず自己管理したいと思っている。後ろポケットの中のものは介護者など第三者に頼んで出し入れしなくてはならず不便。アームレスト内側に収納ポケットを取り付ける事により前述の欠点を解決しようとするものである。
【課題を解決するための手段】
【０００４】車椅子のアームレスト内側に袋状の収納ポケットを取り付ける。
【考案の効果】
【０００５】アームレスト内側に袋状のポケットを付ける事により自分の持ち物、薬や財布、リモコン、携帯電話など利用者の生活に合わせて本人が管理できるようになる。これで第三者に依頼するという精神的負担が軽減される。面ファスナー着脱で用途に応じて取り付けは自由、洗濯も可能なため清潔に保つ事が出来る。
【考案を実施するための最良の形態】
【０００６】利用者の車椅子にあったサイズのポケットを作製する。
【図面の簡単な説明】
【０００７】
【図１】本考案の実施例を示す車椅子アイテム・サイドポケットの側面図アームレストに着脱部分を巻いて面ファスナーで取り付ける
【図１】
0003115753.tif 000003
(57)【要約】      （修正有）【課題】従来は、携帯するには便利だが、使用するには手間がかかり煩わしさがあった。また、ハンガ−に服をかけて持ち運びする時、大きさが手ごろでなく、時には服の裾が地面にふれて汚れる可能性もあった。本考案は、これらの欠点をなくした携帯用ハンガーである。【解決手段】ハンガ−本体１は、木・金属・プラスチックなどの丸棒で凹字形の形状の物を作り、その両端にリング３が取りつけられる長さ分外側に９０度折り曲げ、その折り曲げた部分にリング３をはめ込むためのリング溝２を掘りつけた、これと同形の物を３本作り、その３本を揃えて両端のリング溝２にリング３をはめ込み、ハンガ−本体１が３本ともそのはめ込んだリング３によって回転するようにする。ハンガ−本体１を３本重ねることにより、服４を縦に二つ折りにしてどのハンガ−本体１に掛けても１本は手提げ部、１本は服抑え部、１本は服掛け部となる構成である。【選択図】図３
0003115757.tif 000002
【実用新案登録請求の範囲】
【請求項１】
携帯用ハンガ−として、ハンガ−本体１は、木・金属・プラスチック・などの丸棒で凹字型の形状の物を作り、その両端にそれぞれリング３が取り付けられる長さ分だけ９０度外側に折り曲げ、その折り曲げた部分にリング３はめ込み用のリング溝２を掘り、これと同形の物を３本作り重ね合わせて両端のリング溝２にリング３をはめ込み、３本のハンガ−本体１がそれぞれ回転するようにし、どのハンガ−本体１もが同じ役割を果たせるようにした物で、３本のハンガ−本体１とも、手提げ部・服掛け部・服抑え部になるようにした携帯用ハンガ−。
【考案の詳細な説明】
【技術分野】
【０００１】  本考案は、ハンガ−を簡単に持ち運べるように、携帯式にしたハンガーに関するものである。
［背景技術］【０００２】  従来の携帯用ハンガ−は、折りたたみ式の物があった。
［考案が解決しようとする課題］【０００３】  従来の物は、携帯するには便利だが、使用するには手間がかかり煩わしさがあった。また、ハンガ−に服をかけて持ち運びする時、大きさが手ごろでなく、時には服の裾が地面にふれて汚れる可能性もあった。
本考案は、これらの欠点をなくすためになされたものである。
［課題を解決するための手段］【０００４】  上記課題を解決するために、図１・図２・図３において、ハンガ−本体１は、木・金属・プラスチックなどの丸棒で凹字形の形状の物を作り、その両端にリング３が取りつけられる長さ分外側に９０度折り曲げ、その折り曲げた部分にリング３をはめ込むためのリング溝２を掘りつけた物、これと同形の物を３本作り、その３本を揃えて両端のリング溝２にリング３をはめ込み、ハンガ−本体１が３本ともそのはめ込んだリング３によって回転するようにする。ハンガ−本体１を３本重ねることにより、服を縦に二つ折りにしてどのハンガ−本体１に掛けても１本は手提げ部、１本は服抑え部、１本は服掛け部となる構成である。
［考案の効果］【０００５】  ハンガ−本体１を３本重ねてリング溝２に、リング３をはめ込み止めることにより、ハンガ−本体１が、３本とも回転するようにする。それによりどのハンガ−本体１に服４を掛けても同じ条件で３本とも使用できることになる。折りたたみや組立の煩わしさがなくなり、手提げ部となったハンガ−本体１は手に持ってもよく、鞄の持ち手部に通して釣り下げてもよい。このような携帯用で、手提げ部・服抑え部・服掛け部を備えた携帯用ハンガ−とする。
［実施例］【０００６】  以下、本考案の実施例を図に基づいて説明すれば、図１・図２・図３において、ハンガ−本体１は、木・金属・プラスチックなどの丸棒で凹字型の形状の物を作り、その両端にリング３が取りつけられる長さ分外側に９０度折り曲げ、その折り曲げた部分にリング３をはめ込むためのリング溝２を掘りつけた物、これと同形のものを３本作り、その３本を揃えて両端のリング溝２にそれぞれリング３をはめ込み、ハンガ−本体１が３本ともそのはめ込んだリング３によって回転するようにする。ハンガ−本体１を３本重ねることにより服を縦に二つ折りにしてどのハンガ−本体１に掛けても、１本は手提げ部、１本は服抑え部、１本は服掛け部となる構成である。
【図面の簡単な説明】
【０００７】［図１］ハンガ−本体１本の図
［図２］携帯用ハンガーの斜視図
［図３］携帯用ハンガーの使用時図
【符号の説明】
【０００８】１ハンガ−本体
２リング溝
３リング
４服
【図１】
0003115757.tif 000003
【図２】
0003115757.tif 000004
【図３】
0003115757.tif 000005
(57)【要約】      （修正有）【課題】眼鏡のファッション性を高める着脱容易な後付け眼鏡アクセサリーの提供。【解決手段】眼鏡つり下げ用ゴム１に丸かん２で装飾品３を結合させる事により、つる本体を傷つけることなく、なおかつ太さも調節可能となり、付けはずしが簡単にできる。【選択図】図１
0003115741.tif 000002
【実用新案登録請求の範囲】
【請求項１】
本考案は、眼鏡つり下げ用ゴム部品に装飾品を取り付ける事により、太さ調節も可能で着脱自在としたところを特徴とする後付け眼鏡アクセサリー
【考案の詳細な説明】
【技術分野】
【０００１】本考案は、眼鏡つり下げ用ゴムに装飾品を取り付けた後付け眼鏡アクセサリーである。
【背景技術】
【０００２】眼鏡のつる部分は容易に着脱可能な後付けアクセサリーがなく
ファッション性が低かった。
【考案の開示】
【考案が解決しようとする課題】
【０００３】眼鏡のつる本体の装飾では、取り外しができないためＴＰＯに合わせ
手軽に眼鏡のファッション性を高めようとするものである。
【課題を解決するための手段】
【０００４】眼鏡のつり下げ用ゴムに様々な装飾品を取り付ける事により、太さ調節可能で容易に着脱できる後付け眼鏡アクセサリーができ、メガネのファッション性が高まる。
【考案の効果】
【０００５】個性を出しにくかったメガネのつるも上述のアクセサリーを装着することによって
ファッションとしての価値が高まる。
【考案を実施するための最良の形態】
【０００６】装飾品の取り付け部を眼鏡つり下げ用ゴムを使用し、つるの部の傷を防止し
太さ調節を可能にし着脱自在で後付け可能となる。
【実施例】
【０００７】以下、添付図面に従って実施例を説明する。
１の眼鏡つり下げ用ゴムと３の装飾品を２の丸かんで結合させる。
【図面の簡単な説明】
【０００８】
【図１】本考案の後付け眼鏡アクセサリーの実施例を示す図である。
【図２】本考案の後付けメガネアクセサリーのメガネ本体装着例を示す図である。
【符号の説明】
【０００９】１．メガネつり下げ用ゴム部品
２．丸かん
３．装飾品
【図１】
0003115741.tif 000003
【図２】
0003115741.tif 000004
(57)【要約】【課題】  従来、自動車用簡易取付型後部座席用照明付開閉式三面鏡が存在しなかった為化粧や、身だしなみ等を確認する事が困難でした。【解決手段】  以上の課題を解決する為に、運転席又は助手席のヘッドレストに自動車用簡易取付型後部座席用照明付開閉式三面鏡を取り付けます。【選択図】  図１
0003115748.tif 000002
【実用新案登録請求の範囲】
【請求項１】
自動車用簡易取付型後部座席用照明付開閉式三面鏡
【考案の詳細な説明】
【技術分野】
【０００１】  本考案は自動車用簡易取付型後部座席用照明付開閉式三面鏡の構造及び形状に関する。
【背景技術】
【０００２】  従来、自動車用簡易取付型後部座席用照明付開閉式三面鏡はありませんでした。
【考案の開示】
【考案が解決しようとする課題】
【０００３】  従来、自動車用簡易取付型後部座席用照明付開閉式三面鏡が存在しなかった為化粧や、身だしなみ等を確認する事が困難でした。
【課題を解決する為の手段】
【０００４】  以上の課題を解決する為に、運転席又は助手席のヘッドレストに自動車用簡易取付型後部座席用照明付開閉式三面鏡を取り付けます。
【考案の効果】
【０００５】  三面鏡が固定され、必要な際にスイッチにより照明を灯す事が出来、使用しない際は折り畳む事が出来ます。
【考案を実施する為の最良の形態】
【０００６】  運転席又は助手席ヘッドレストの軸に自動車用簡易取付型後部座席用照明付開閉式三面鏡を取り付けます。
【図面の簡単な説明】
【０００７】
【図１】  自動車用簡易取付型後部座席用照明付開閉式三面鏡を示した立体図である。
【符号の説明】
【０００８】  ▲１▼    三面鏡                ▲６▼    ヘッドレストの軸に取り付ける部分
▲２▼    角度調整部分
▲３▼    ＬＥＤ式照明
▲４▼    照明電源スイッチ
▲５▼    照明用電池取付部
【図１】
0003115748.tif 000003
(57)【要約】      （修正有）【課題】洗車後ワックスをかける時は専用の粘土で水をつけながら、こねながらこすって鉄分を取っていた方法を改良し、回転部分を磁石にし、それにやわらかいカバーをかぶせたローラーを提供する。【解決手段】回転部分を磁石（１）にし、それにやわらかいカバー（２）をかぶせる。【選択図】図１
0003115746.tif 000002
【実用新案登録請求の範囲】
【請求項１】
（イ）ローラーの回転部分を磁石（１）にする。
（ロ）磁石（１）に、車に傷付かない様にやわらかいカバー（２）をかぶせる。
以上の如く構成された、鉄粉取りローラー。
【考案の詳細な説明】
【考案の詳細な説明】
【技術分野】
【０００１】この考案は、磁石とやわらかいカバーを付けたローラーに関するものである。
【背景技術】
【０００２】従来、洗車後ワックスをかける時は、専用の粘土で水をつけながら、こねながらこすって鉄粉を取っていた。これは、小さい粘土が多く価格も高く能率も悪く不便だった。
【考案が解決しようとする課題】
【０００３】本案は、その欠点を除いて、こねたり水をかけたりすることなく、かんたんに鉄粉を取れるローラーを開発しようとするものである。
【課題を解決するための手段】
【０００４】今その解決手段を図面に追いながら説明すれば、ローラーの回転部分を磁石（１）にする。磁石（１）にやわらかいカバー（２）をかぶせる。以上の如く構成された鉄粉取りローラーである。
【考案を実施するための最良の形態】
【０００５】本考案は以上のような構造であるから、これを使用する時は、やわらかいカバー（２）につつまれた磁石（１）をボディーにあててコロコロころがして、鉄粉が取れたらやわらかいカバー（２）を磁石（１）からはずせばよい。取れた鉄粉は下に落ちる。【０００６】なお、本考案の実施にあたって次の如きことが出来る。
（イ）やわらかいカバー（２）をつけないで、やわらかい磁石でローラーの回転部分をつくる。
【考案の効果】
【０００７】したがって、こねたり水をかけたりしないで、手軽にすばやく鉄粉を取れる鉄粉取りローラーである。
【図面の簡単な説明】
【図１】本考案の斜視図
【符号の説明】
１は磁石
２はやわらかいカバー
【図１】
0003115746.tif 000003
(57)【要約】      （修正有）【課題】多少、水にぬれても湿潤強度があり、なおかつ、高活性な光触媒紙を提供する。【解決手段】多層抄きにすることにより紙力強度を向上させ、なおかつ基材シート４側にＰＥ樹脂をコーティングすることにより、水にぬれても破れない厨房用殺菌シートができた。その表面用シート５側をぬれた状態でまな板２などの表面に押し当てると、空気が抜けて密着が良くなる。そういう状態で太陽光、あるいは蛍光灯などの光を照射すると、充分に光触媒能が発現され、まな板を無菌状態にすることができる。【選択図】図２
0003115749.tif 000002
【実用新案登録請求の範囲】
【請求項１】
繊維とバインダーとを混合して湿式抄造してなる基材シートと、光触媒担持体と繊維とを混合して湿式抄造してなるノーバインダーの表面シートとを重ねて単筒式加熱ロールを使用し、前記基材シートと表面用シートとを重ね合わせたシートを、表面用シート側が前記加熱ロールと接触するようにして加熱することを特徴とする光触媒紙状体において基材シート側にポリオレフィンの樹脂をコートした厨房用殺菌シート。
【請求項２】
前記光触媒担持体は、光触媒を無機繊維に担持させたものである請求項１に記載の光触媒紙状体。
【考案の詳細な説明】
【技術分野】
【０００１】  本考案は、光触媒紙の発明に関する。
【背景技術】
【０００２】  従来の光触媒紙では、紙に酸化チタン光触媒を積層する場合、酸化チタンの表面をバインダー繊維や剥離剤などが覆い、光触媒活性が高いものは得られなかった。しかし、近年特許文献１において、紙に酸化チタンを積層しても高活性な光触媒能が得られ、更に、特許文献２において、紙力強度を上げる方法として、多層抄きにすることにより、紙力強度が高く、なおかつ、高活性な光触媒能のものを得ることができる。
【特許文献１】特願２００２−７３２９５
【特許文献２】特願２００５−０２９４３４
【考案の開示】
【考案が解決しようとする課題】
【０００３】  本考案が解決しようとする課題は、多少水にぬれても湿潤強度があり、なおかつ、高活性な光触媒紙を提供することにある。
【課題を解決するための手段】
【０００４】  紙原料中に化学繊維であるＰＥＴ繊維などを配合することにより、湿潤強度を向上させることができる。また、基材シート側に押し出しラミなどの手法によりポリオレフィン樹脂を簡単に積層することができる。そうすることにより、ぬれた状態で乱暴に扱っても破れない厨房用殺菌シートが出来上がる。まな板などに表面用シート側を押し当てる際に、ぬらした状態で押し当てると、空気が抜けて密着がよくなる。そうした状態で太陽光、あるいは、蛍光灯などの光を照射すると、充分に光触媒能が発現され、細菌類を分解、除去できる。
【考案の効果】
【０００５】  蛍光灯中には、１％ぐらいのＵＶ光が含まれており、一般タイプの光触媒酸化チタンでも殺菌効果が発揮されることが確認できている。可視光タイプの酸化チタン光触媒を使用するほうが更に効果を発揮する。食品の加工が終了し、まな板を清掃した後、厨房用殺菌シートを表面用シート側がまな板側になるようにしてまな板の表面を覆うことにより、次の作業開始前には、菌数は零となり、食中毒対策となる。
【考案を実施するための最良の形態】
【０００６】  実施例により、考案実施の態様を説明するが、例示は単に説明用のもので、発明思想の制限または限定を意味するものではない。
【実施例】
【０００７】  光触媒紙の表面用シート側の処方
こう解パルプ／ＰＥＴ繊維／光触媒担持体＝６０／３５／１０…３０ｇ／ｍ２
光触媒紙の基材シート側の処方
こう解パルプ／ＰＥＴ繊維／ＰＶＡ＝６０／３５／５…２０ｇ／ｍ２
上記処方で、５０ｇ／ｍ２の光触媒紙を作成した。更に、押し出しラミ機にて基材シート側に１５μのＰＥ樹脂を積層して、水にぬれても破れない殺菌シートが得られた。
【産業上の利用可能性】
【０００８】  給食施設、レストランの厨房、スーパーなどのバックヤードなどでの利用が考えられる。この厨房用殺菌シートを使用することにより、食中毒防止の効果が充分期待できる。
【図面の簡単な説明】
【０００９】
【図１】本考案の厨房用殺菌シートで、まな板を覆っている状態を示す斜視図である。
【図２】図１のＡ−Ａ断面図である。
【符号の説明】
【００１０】  １  殺菌シート
２  まな板
３  ＰＥコーティング層
４  基材シート
５  表面用シート
【図１】
0003115749.tif 000003
【図２】
0003115749.tif 000004
(57)【要約】【課題】  特別な工事を施すことなく和式便器に簡単に設置することができ、洋式便器と同様に腰掛ける姿勢で使用可能とし、排泄物が床、臀部、衣服に付着することがなくて衛生的で、和式便器の使用になれていない使用者でも使いやすい和式便器用補助便座装置の提供。【解決手段】  使用者が腰掛けられる環状の便座部Ｂ１、便座部Ｂ１の下方に連続した支持部Ｂ２、支持部Ｂ２の外面下部寄りから張り出し、和式便器Ｃの上に載置可能な台座Ｂ３を有し、支持部Ｂ２の下部を台座Ｂ３よりも下方に伸ばして、和式便器Ｃの内部に挿入可能な突出部Ｂ６を形成し、便座部Ｂ１の中心に形成した収容空間Ｂ４を支持部Ｂ２の中央に形成した貫通孔Ｂ５と連通してある。【選択図】          図５
0003115800.tif 000002
【実用新案登録請求の範囲】
【請求項１】
使用者が腰掛けることのできる環状の便座部、該便座部の下方に連続した支持部、及び、該支持部の外面下部寄りから張り出し、和式便器の上に載置可能な台座を有し、前記支持部の下部を前記台座よりも下方に伸ばして、前記和式便器の内部に挿入可能な突出部を形成し、前記便座部の中心に形成した収容空間を前記支持部の中央に形成した貫通孔と連通したことを特徴とする和式便器用補助便座装置。
【請求項２】
前記貫通孔を、中心軸がまっすぐで、全長に亘って均一な直径を有する直孔、漏斗状孔、中心軸が湾曲した湾曲孔、及び、サイホン式通孔のいずれかとした請求項１に記載の和式便器用補助便座装置。
【考案の詳細な説明】
【技術分野】
【０００１】
本考案は、和式便器に設置し、腰掛けて使用できるようにする和式便器用補助便座装置に関する。
【背景技術】
【０００２】
図１に示すように、一般的な和式便器Ａは、床面とほとんど同じ高さに設置されており、使用時には跨いで屈む姿勢となるので、血管が圧迫されて脚がしびれやすく、また、洋式便器に慣れた者には、心理的な抵抗があって非常に使い難い。
さらに、排泄物が和式便器に落ちると、便槽内の汚水を跳ね上げ、床、臀部、衣服等に付着することがあって不衛生であった。
【考案の開示】
【考案が解決しようとする課題】
【０００３】
本考案は、特別な工事を施すことなく和式便器に簡単に設置することができ、洋式便器と同様に腰掛ける姿勢で使用可能とし、排泄物が床、臀部、衣服に付着することがなくて衛生的で、和式便器の使用になれていない使用者でも使いやすい和式便器用補助便座装置の提供を目的とする。
【課題を解決するための手段】
【０００４】
本考案の和式便器用補助便座装置は、使用者が腰掛けることのできる環状の便座部、該便座部の下方に連続した支持部、及び、該支持部の外面下部寄りから張り出し、和式便器の上に載置可能な台座を有し、前記支持部の下部を前記台座よりも下方に伸ばして、前記和式便器の内部に挿入可能な突出部を形成し、前記便座部の中心に形成した収容空間を前記支持部の中央に形成した貫通孔と連通してある。
前記貫通孔を、中心軸がまっすぐで、全長に亘って均一な直径を有する直孔、漏斗状孔、中心軸が湾曲した湾曲孔、及び、サイホン式孔のいずれかとしても良い。
【考案の効果】
【０００５】
本考案によれば、台座を和式便器の上に載せ、突出部を和式便器の内部に挿入するだけで、和式便器そのものを破壊したり、特別な工事を施すことなく、必要時に簡単に設置することができ、不要な時は取り外すことも可能である。
また、この補助便座装置を設置するだけで、和式便器であっても洋式便器と同様に便座部に腰掛けて使用することができるため、脚に加わる負担が少なくて済み、排泄物が跳ね上げる汚水が床、臀部、衣服に付着するのを防ぎ、和式便器に慣れない使用者の心理的な抵抗を減少あるいは排除できる。
【考案を実施するための最良の形態】
【０００６】
以下、本考案の実施例を図面に基づいて詳細に説明する。
図２及び図３に示すように、本考案の補助便座装置Ｂは、便座部Ｂ１と、便座部Ｂ１の下方に連続した筒状の支持部Ｂ２と、支持部Ｂ２の外面下部寄りから張り出した台座Ｂ３とを有する。
また、支持部Ｂ２の下部は、台座Ｂ３よりも下方に延びて、突出部Ｂ６が形成されている。
【０００７】
便座部Ｂ１は、周方向に湾曲した環状をなし、その上に使用者が腰掛けられるようになっている。
また、便座部Ｂ１の中心に形成された収容空間Ｂ４が、支持部Ｂ２の中央に形成された貫通孔Ｂ５と連通している。貫通孔Ｂ５は、中心軸がまっすぐで、全長に亘ってほぼ均一な直径を有する直孔とする。
すなわち、補助便座装置Ｂの中央は上下に貫通しており、便座部Ｂ１から突出部Ｂ６まで継ぎ目がないので、収容空間Ｂ４から進入した排泄物は、貫通孔Ｂ５を通ってまっすぐに突出部Ｂ６の下方へ落下する。
台座Ｂ３は、支持部Ｂ２の周方向全長にわたって設けられ、補助便座装置Ｂの重量、及び、便座部Ｂ１に腰掛けた人の重量を支持するのに十分な強度を備える。また、台座Ｂ３の一端部は、両側を切り欠いてやや幅狭く形成されている。
【０００８】
図４及び図５に示すように、この補助便座装置Ｂを、金隠しを備えた和式便器Ｃに設置するには、和式便器Ｃの縁と台座Ｂ３の位置とを合わせ、突出部Ｂ６を和式便器Ｃの内部へ挿入した状態で、台座Ｂ３を和式便器Ｃの縁部の上に載せ、台座Ｂ３の一端部を金隠しの下方へ差し込む。
また、図６に示すように、補助便座装置Ｂを、金隠しのない和式便器Ｄへ設置する際には、和式便器Ｄの縁と台座Ｂ３の位置とを合わせて、台座Ｂ３を和式便器Ｄの上に載せ、突出部Ｂ６を和式便器Ｄの内部へ挿入する。
【０００９】
このように、台座Ｂ３を和式便器Ｃ，Ｄの縁部の上に載せ、突出部Ｂ６を和式便器Ｃ，Ｄの内部に差し込むと、補助便座装置Ｂが水平方向に移動しにくく、使用時にもぐらつかないので、安定性が良い。
そして、便座部Ｂ１に腰掛けて使用すると、収容空間Ｂ４から進入した排泄物が、支持部Ｂ２の貫通孔Ｂ５を通って突出部Ｂ６の下方へ通過し、確実に便槽に落下する。また、排泄物が跳ね上げた汚水は、補助便座装置Ｂの上方へ達することはなく、周囲の床、臀部、衣服等に付着する虞がない。
【００１０】
なお、台座Ｂ３の形状は、各種の和式便器の平面形状に合わせた形状とし、ネジ留め等によって補助便座装置Ｂを固定できるように、複数の固定用孔を設けることも可能である。
また、貫通孔Ｂ５は、直孔とせず、漏斗状孔、中心軸が湾曲した湾曲孔、或いは、サイホン式通孔とすることもできる。
【図面の簡単な説明】
【００１１】
【図１】和式便器の斜視図。
【図２】本考案の実施例を示す補助便座装置の斜視図。
【図３】本考案の実施例を示す補助便座装置の下面斜視図。
【図４】金隠しを備えた和式便器に設置した補助便座装置の斜視図。
【図５】金隠しを備えた和式便器に設置した補助便座装置の断面図。
【図６】金隠しのない和式便器に設置した補助便座装置の斜視図。
【符号の説明】
【００１２】
Ａ  一般的な和式便器
Ｂ  補助便座装置
Ｂ１  便座部
Ｂ２  支持部
Ｂ３  台座
Ｂ４  収容空間
Ｂ５  貫通孔
Ｂ６  突出部
Ｃ  金隠しを備えた和式便器
Ｄ  金隠しのない和式便器
【図１】
0003115800.tif 000003
【図２】
0003115800.tif 000004
【図３】
0003115800.tif 000005
【図４】
0003115800.tif 000006
【図５】
0003115800.tif 000007
【図６】
0003115800.tif 000008
(57)【要約】【課題】買い物袋等の袋を持ち運ぶ際、持ち手部分にホルダーを取り付けて、手の痛みを軽減するものや、フック式の肩かけ式のものがあったが、手が塞がる、或いは持ち運び時に安定性に欠けたり、買い物袋等の袋が外れ落ちてしまう可能性があった。そこで、ベルトに買い物袋等の袋を通して運ぶという新しい買い物袋等持ち運び用補助ベルトを提供する。【解決手段】クッションと空洞部分のある肩パット部をバックル（商標登録）のついたベルトに装着して、買い物袋等の袋をベルトに通して、肩にかけて持ち運ぶことのできることを特徴とする。【選択図】図３
0003115739.tif 000002
【実用新案登録請求の範囲】
【請求項１】
差込みバックル（商標登録）が両端に付いたベルト図３の中央にスポンジの入った肩パット図２を通す。
スポンジの入った肩パット（２）部はベルトを収納できる。
以上のごとく構成された買い物袋等を持ち運ぶベルト。
【考案の詳細な説明】
【技術分野】
【０００１】  この考案は買い物袋等の袋を持ち運ぶ際、中通しにして使用するベルトに関するものである。
【技術背景】
【０００２】  従来の買い物袋等の袋を持ち運ぶ際の補助具は持ち手部分のホルダー式やフック式で買い物袋を吊り下げるものであった。
【考案の開示】
【考案が解決しようとする課題】
【０００３】  従来買い物袋等の袋を持ち運ぶ際、袋の重みにより袋の持ち手部分が手に食い込み、手が痛くなった。また買い物袋などの袋を持つことによって、手が塞がる不便さがあった。これらを解消、軽減するために買い物袋等の持ち手部分にホルダーを取り付けるものがあるが、手がふさがる不便さがある。
また、肩かけ式のベルトによる買い物袋補助具があるが、フック式は歩行時に安定性に欠け、買い物袋等がベルトから外れる可能性がある。
本考案は以上のような欠点をなくすためになされたものである。
【課題を解決するための手段】
【０００４】  いまこれを図面によって説明すれば、
（イ）図１は肩にかける肩パット部の正面平面図である。
（ロ）図２は肩にかける肩パット部の裏面正面図である。
（ハ）図３は肩パットの空洞部分をベルトに通したものである。
【考案の効果】
【０００５】  図４のごとく買い物袋等の袋の持ち手部分にベルトを通す。
図５のごとくバックル（商標登録）を装着して、肩パット部は折りたたむ。
図５のごとく買い物袋等の袋は買い物袋等の袋持ち運び補助ベルトを肩にかけて移動することによって両手が自由に使え、手が痛くなることを解消できた。
また肩にかけたとき、肩パットがスポンジを入れているため、買い物袋等袋の肩にかかる重みを軽減することができる。
【考案を実施するための最良の状態】
【０００６】  以上のような構成であるから、買い物袋等の袋を両手を自由に使える状態で、手が痛くなく、袋を誤って落とす心配も無く、安定して持ち運ぶことができる。
【図面の簡単な説明】
【０００７】
【図１】  本考案の肩パット部の正面平面図である。
【図２】  本考案の肩パット部の裏面平面図である。
【図３】  本考案の正面平面図である。
【図４】  本考案の使用する際の斜視図である。
【図５】  本考案の使用時の斜視図である。
【図１】
0003115739.tif 000003
【図２】
0003115739.tif 000004
【図３】
0003115739.tif 000005
【図４】
0003115739.tif 000006
【図５】
0003115739.tif 000007
(57)【要約】【課題】レストラン、ホテルのダイニングルームやカフェテリア等において提供される１人前用のバターやジャムを充填したポーション容器を、片手で押さえることなく、片手のみの操作でバターやジャムをナイフにすくい取ることができる。【解決手段】レストラン、ホテルのダイニングルームやカフェテリア等において提供される１人前用のバターやジャムを充填したポーション容器１の底板８の外周縁部一方側に、該底板８から少なくとも皿９の厚さ分の間隔１０を存して、前記皿９の周縁部の一端に係止する係止手段１１を備える。【選択図】図４
0003115776.tif 000002
【実用新案登録請求の範囲】
【請求項１】
バターやジャムのポーション容器の底板に、皿の周縁部の一端に係止固定する係止手段を備えたことを特徴とするバターやジャムのポーション容器。
【考案の詳細な説明】
【技術分野】
【０００１】
本考案は、レストラン、ホテルのダイニングルームやカフェテリア等において提供される１人前用のバターやジャムを充填したポーション容器の改良に関し、前記ポーション容器をパンを載置した皿の周縁部の一端に係止することにより、該ポーション容器を手で押圧することなく、片方の手のみの操作で、バターやジャムをナイフにすくい取ることができるバターやジャムのポーション容器に関するものである。
【背景技術】
【０００２】
従来、レストラン、ホテルのダイニングルームやカフェテリア等において提供される、パンに塗布するための１人前用のバターやジャムを充填したポーション容器２０は、図７に示すように、バターやジャム２１を充填するための凹部２２を備えて円形、または方形に形成され、蓋用シート２３を前記ポーション容器２０の上周縁部に接着固定して形成されている。なお、本考案が目的とする係止手段を備えたポーション容器は、過去の特許文献を遡及検索しても、１件も見出すことができなかった。
【考案の開示】
【考案が解決しようとする課題】
【０００３】
前記従来使用されているポーション容器２０は、図７に示すような形状に形成されており、パンを載置した皿に係止するという手段が施されていないために、蓋用シート２３を剥離した後、前記ポーション容器２０内のバターやジャム２１をナイフにすくい取る場合、片手で必ず該ポーション容器２０を押さえて、ナイフでポーション容器２０内のバターやジャム２１をナイフに付着させなければならず、面倒で、且つバターやジャムがポーション容器２０から飛び出して手に付着してしまうという課題があった。
【０００４】
本考案は、前記課題を解決すべくなされたもので、ポーション容器に皿の周縁部への係止手段を備えることにより、片手のみの操作でバターやジャムをナイフにすくい取ることができるバターやジャムのポーション容器を提供しようとするものである。
【課題を解決するための手段】
【０００５】
本考案は、バターやジャムのポーション容器の底板に、皿の周縁部の一端に係止固定する係止手段を備えるという手段を採用することにより、上記課題を解決した。
【考案の効果】
【０００６】
本考案によれば、ポーション容器の底板に固定された係止手段を、皿の円周部の一端に係止させることにより、バターやジャムのポーション容器は皿からの脱落や、移動を阻止されて係止固定されるので、使用者はポーション容器に手を添えて動揺を防ぐ必要がなく、片手に持ったナイフに、簡単、且つ迅速にバターやジャムをすくい取ることができる。
【実施例】
【０００７】
本考案の実施例を図面に基づいて詳細に説明する。レストラン、ホテルのダイニングルームやカフェテリア等において使用される、１人前用のバターやジャムのポーション容器１は、バターやジャム２を充填する凹部３を備えて円形または四角形等の多角形状に形成され、且つ前記凹部３の上周縁部４一端には、舌片５が突設されると共に、前記上周縁部４と、舌片５の一部に蓋用シート６を接着固定して形成されている。なお、図中、７は前記蓋用シート６を剥がし易くするための段部であり、この部分に位置する蓋用シート６は接着固定されていない。
【０００８】
そして、本考案は前記構成より成るポーション容器１の底板８の外周縁部一方側に、該底板８から少なくとも皿９の厚さ分の間隔１０を存して、前記皿９の周縁部の一端に係止する係止手段１１を備えて形成されている。
【０００９】
前記係止手段１１は、皿９の周縁部の一端に係止して、バターやジャム２のナイフへのすくい取り時に動揺したり、皿９が脱落しないような構成のものであればよい。そして、前記係止手段１１としては、特に限定する必要はないが、好ましくは、例えば図３に示すように、巾が狭くて長い主杆１２と短い支杆１３を直角に折曲して形成された挟持杆１４を２本間隔を有して、それぞれ短い支杆１３を前記底板８の外周縁部の一方側に固定して形成することが推奨される。また、図５に示すように、前記構成より成る挟持杆１４を１本、前記底板８の外周縁部の一方側に固定してもよい。
【００１０】
更にまた、前記係止手段１１としては、図６に示すように、巾が広くて長い主片１５と短い支片１６を直角に折曲して形成された挟持片１７の前記短い支片１６を前記底板８の外周縁部の一方側に固定して形成してもよい。
【００１１】
本考案バターやジャムのポーション容器の作用に付いて説明する。本考案バターやジャムのポーション容器１の上周縁部５と舌片６の一部に接着固定された蓋用シート７を該舌片６側から剥離して、前記ポーション容器１内に充填されたバターやジャム２を露出させる。
【００１２】
そして、ポーション容器１の底板８に固定された係止手段１１を皿９の周縁部の一端に係止させることにより、前記ポーション容器１は皿９からの脱落や、移動を阻止されて係止固定される。
【００１３】
前記ポーション容器１が皿９に係止手段１１を介して係止されることにより、使用者は、従来のようにポーション容器１に手を添えて動揺を防ぐ必要がなく、片手に持ったナイフで、簡単、且つ迅速にバターやジャム２をすくい取ることができる。
【図面の簡単な説明】
【００１４】
【図１】本考案円形状をしたポーション容器を蓋用シートを取外して示す平面図である。
【図２】本考案方形状をしたポーション容器を蓋用シートを取外して示す平面図である。
【図３】本考案バターやジャムのポーション容器の底面図である。
【図４】本考案バターやジャムのポーション容器の使用状態を示す縦断面図である。
【図５】本考案バターやジャムのポーション容器における他の実施例を示す底面図である。
【図６】本考案バターやジャムのポーション容器における更に他の実施例を示す底面図である。
【図７】従来のバターやジャムのポーション容器の縦断面図である。
【符号の説明】
【００１５】
１    ポーション容器
８    底板
９    皿
１１  係止手段
【図１】
0003115776.tif 000003
【図２】
0003115776.tif 000004
【図３】
0003115776.tif 000005
【図４】
0003115776.tif 000006
【図５】
0003115776.tif 000007
【図６】
0003115776.tif 000008
【図７】
0003115776.tif 000009
(57)【要約】      （修正有）【課題】マスク装着時に出来る、鼻の辺りの隙間ができやすい部分を色々な人の顔の形や筋肉の変化にも対応し、隙間を安定して塞ぎマスクのフィルター効果を高め、また、吐息の目への不快感や、眼鏡を曇らせるなどのトラブルを防ぐ機能のあるマスク又はパットを提供する。【解決手段】あらゆる顔の凹凸や顔の筋肉の動きに対応し、合わせられるシンプルな形にして、コットンやそのほか物質を綿状に加工したものなど、柔らかい素材を使用し、大小あらゆる隙間に詰めやすいものとする。また、マスク内に放出された吐息が目や眼鏡の方から放出されないように、パット内に蒸気を通さない膜を挟み込み、吐いた息はほぼマスク側を通して、前へ放出されるようにする。【選択図】図３
0003115718.tif 000002
【実用新案登録請求の範囲】
【請求項１】
コットンなどの綿状の柔らかい素材とサランラップのような薄い膜を使い、表面に女性用の顔の油をふき取る薄い油取り紙のような素材を使ったもので、マスク装着時に出来るマスクと鼻の辺りの隙間を埋めるパット及びそのパットの機能を備え付けたウィルス、花粉、医療、防塵用などのマスク。
【考案の詳細な説明】
【技術分野】
【０００１】本考案は、コットン、紙、ポリ塩化ビニリデンなどの薄い膜からなるもので、マスク装着時にできる隙間を作らないようにするための、風邪、ウィルス、花粉、防塵、医療用のマスクに付随させる物に関する。
【背景技術】
【０００２】従来のマスクでは、ワイヤーなどの金具がマスクの鼻の辺りに来る部分に取り付けられており、装着時に出来るマスクと鼻の辺りの隙間を、鼻の形状に合わせてそれを指で曲げ、フィットさせて隙間を塞いでいる。
【考案の開示】
【考案が解決しようとする課題】
【０００３】しかし、人にはさまざまな鼻の形や顔の凹凸があり、特に重要なのは人の顔の筋肉は常に動いていることであり、くしゃみ・せき・あくび・会話・笑いなどで、マスクがずれて隙間ができやすい、そしてそれにより、当然隙間から粉塵や花粉、ウィルスなどが入ってきて、外気のフィルター効果は下がり、また、その隙間からの吐息などの蒸気によって、眼鏡を曇らせたり目などへの吐息による不快感を生じさせたりする。そして、後者のそういった不快感は、例えば事務所や工事などの現場で、思わずマスクをはずして顎に掛けたりしてしまったり、口だけマスクで覆って鼻を出したりするようになり、いずれにしてもマスクの効果や意味をなさなくなってしまう。また、車などの運転時には、眼鏡が曇ると危険な状態となることもある。
【課題を解決するための手段】
【０００４】鼻の頭から目頭に掛けての部分で、マスク装着時に塞ぎ切れない隙間を、コットンなどの柔らかい綿状のシートを使って隙間を塞ぎやすくする。また、マスク内に放出された吐息が目や眼鏡の方に放出されないように、サランラップのような膜を挟み込み、吐息を通さないようにする。そして、女性用の顔の油取り紙などの柔らかい素材でパットを包み肌触りをよくする。また、あらゆる人の顔の形や顔の筋肉の動きに調節、対応できる形に製造することにより、誰が購入しても効果を出せるようにするものである。
【考案の効果】
【０００５】鼻に一番近く隙間ができやすい部分を、さまざまな人の顔の形や筋肉の変化にも対応し、隙間を安定して塞ぐことにより、そこからの外気の直接の進入を防ぎマスクのフィルター効果を高める。又、蒸気を通さない薄い膜を挟み込むので、吐息が目や眼鏡の方に放出されないようになり、目への不快感や眼鏡の曇りが無くなる。それにより医療現場や事務、現場仕事、車などの運転時に眼鏡が曇り危険な状態や不快感を作らないようにでき、また、花粉やウィルスからの防御性を高め、工事現場やアスベストなど、発がん性などの恐れのある粉塵が飛ぶ可能性の多い場所でのマスクの防塵効果を高める効果がある。
【考案を実施するための最良の形態】
【０００６】完成品は図１のようなシンプルな形とし、装着時に番号２の部分を指で内側に詰め込むようにすることで、鼻の高い人や低い人にも対応する形とする。【０００７】本考案の構造は図３のようになっており、番号１０はコットンやその他の物質を綿状に加工したシート状のもので、柔らかい弾力性を持たせる。番号８は女性用の顔の油取り紙のような素材で、肌に密着し、且つ不快感を生じさせない蒸れない素材のシートで、本考案の表部分又は全体を覆っている。番号９はマスク装着時にマスク内に放出された吐息を通さない材質のもので、外側になる表面一帯に張ってあり、吐息が蒸気として目や眼鏡の方に放出されないようにするための薄い膜である。番号７はのりしろ部分となる番号６についている両面テープで、本考案の機能がついていない市販のマスクに取り付けられるようになっている。【０００８】また、本考案は図１の番号１のパット部分の単品で製造することもできるし、図２のようにマスク製造時に本考案を一体化して作り、商品として包装時に折りたためる形にも適している。
【産業上の利用可能性】
【０００９】鼻に一番近い部分、かつ隙間ができやすい部分をさまざまな人の顔の形や顔の筋肉の変化にも対応し隙間を安定して塞ぐことにより、花粉やウィルスの防御性を高め、工事現場やアスベストなど発がん性などの恐れのある粉塵が、飛ぶ可能性の多い場所でのマスクのフィルター効果を高める。また、吐息による目や眼鏡への不快感を防ぐので、医療現場などのあらゆる現場でも効果を発揮する。
【図面の簡単な説明】
【００１０】
【図１】本考案に係るノーズフィットパットをマスクに取り付けた状態の図である。
【図２】本考案に係るノーズフィットパットを取り付けたマスクを折りたたんだ時の図である。
【図３】本考案に係るノーズフィットパットの断面の拡大の図である。
【符号の説明】
【００１１】１・・・本考案のパットを示す。
２・・・破線の円形で示した部分を示す。
３・・・市販の一般的なマスク
４・・・耳に掛けるゴムひも
５・・・本考案のパットを示す。
６・・・両面テープの張ったのりしろ部分。
７・・・両面テープ
８・・・本考案の一番外側のシート
９・・・蒸気を通さない膜
１０・・・綿状の柔らかい素材
【図１】
0003115718.tif 000003
【図２】
0003115718.tif 000004
【図３】
0003115718.tif 000005
【手続補正書】
【提出日】平成17年7月14日(2005.7.14)
【手続補正１】
【補正対象書類名】実用新案登録請求の範囲
【補正対象項目名】全文
【補正方法】変更
【補正の内容】
【実用新案登録請求の範囲】
【請求項１】
コットンなどの柔らかい素材のシートと蒸気を通さない薄い膜状のシートを蒸れないシートで挟み込んだパット状のもので、マスク装着時に出来る鼻の辺りの隙間を埋めやすくするため、ほぼ三角形の形になっており、その三角形の底辺にあたる部分の鼻が来る部分を、底辺に対して垂直方向にＵ字型に切り抜いてあり、あらゆる顔の凹凸に対応する形にしたものを取り付けたマスク。